(57)【特許請求の範囲】
【請求項１】
互いに対向する内側面に互いに対向する方向に向けて開口するダボ穴がそれぞれに形成された左右の側板と、これら左右の側板の対向方向に見て略矩形状とされた溝が同対向方向に沿って下面に形成され、これら左右の側板間に架け渡される棚板と、前記棚板の溝に嵌め込まれる補強材と、を備えており、前記補強材の両側端部には、前記左右の側板の各ダボ穴に挿入されるダボをそれぞれに有し、かつ前記棚板と前記側板との間に挟み込まれるように配設されるダボ片がそれぞれに設けられており、
前記補強材における前記棚板の溝に嵌め込まれる嵌込部は、前記棚板の溝の内周面に沿うように天板部と両側壁部とを備えた下向き開口形状とされ、かつ当該嵌込部の両側壁部の下端面と前記棚板の下面とが略面一となるように前記棚板の溝に嵌め込まれることを特徴とする収納装置。
【請求項２】
請求項１において、
前記棚板の両側端面には、前記補強材の各ダボ片を収容するダボ片収容凹所がそれぞれに形成されており、これらダボ片収容凹所に、前記補強材の各ダボ片がそれぞれに収容される構造とされていることを特徴とする収納装置。
【発明の詳細な説明】
【技術分野】
【０００１】
本発明は、側板間に棚板を有する収納装置に関する。
【背景技術】
【０００２】
従来より、左右の側板の内側面にダボ穴を設け、このダボ穴にダボを嵌め込み、このダボに棚板を載置する構成とされた収納装置が知られている。このような収納装置は、棚板上に載置される収納物等の荷重によっては棚板が撓んだりすることが考えられた。
例えば、下記特許文献１には、左右の側板パネルのそれぞれに形成された貫通孔に金属棒を水平に挿通し、この金属棒に棚板パネルを支持させた簡易組立棚が提案されている。この簡易組立棚は、棚板パネルの横幅方向の複数個所に凹溝部を設ける一方、左右の側板パネルに金属棒が挿通される貫通孔を設け、この貫通孔に挿通された金属棒に棚板パネルの凹溝部を係合させて、棚板パネルを金属棒に支持させる構造とされている。
【先行技術文献】
【特許文献】
【０００３】
【特許文献１】特開２００８−５５０３２号公報
【発明の概要】
【発明が解決しようとする課題】
【０００４】
しかしながら、上記特許文献１に記載された簡易組立棚では、棚板パネルを支持する金属棒が左右の側板パネルの貫通孔に挿通される構造とされている。そのため、金属棒が左右の側板パネルの貫通孔から位置ずれ等することが考えられ、棚板を安定的に保持する観点等からは、更なる改善が望まれる。
【０００５】
本発明は、上記実情に鑑みてなされたものであり、棚板の撓みを抑制することが可能でありながらも、棚板を安定的に保持し得る収納装置を提供することを目的とする。
【課題を解決するための手段】
【０００６】
上記目的を達成するために、本発明に係る収納装置は、互いに対向する内側面に互いに対向する方向に向けて開口するダボ穴がそれぞれに形成された左右の側板と、これら左右の側板の対向方向に見て略矩形状とされた溝が同対向方向に沿って下面に形成され、これら左右の側板間に架け渡される棚板と、前記棚板の溝に嵌め込まれる補強材と、を備えており、前記補強材の両側端部には、前記左右の側板の各ダボ穴に挿入されるダボをそれぞれに有し、かつ前記棚板と前記側板との間に挟み込まれるように配設されるダボ片がそれぞれに設けられており、前記補強材における前記棚板の溝に嵌め込まれる嵌込部は、前記棚板の溝の内周面に沿うように天板部と両側壁部とを備えた下向き開口形状とされ、かつ当該嵌込部の両側壁部の下端面と前記棚板の下面とが略面一となるように前記棚板の溝に嵌め込まれることを特徴とする。
【０００７】
本発明においては、前記棚板の両側端面には、前記補強材の各ダボ片を収容するダボ片収容凹所がそれぞれに形成されており、これらダボ片収容凹所に、前記補強材の各ダボ片がそれぞれに収容されてもよい。
【発明の効果】
【０００８】
本発明に係る収納装置は、上述のような構成としたことで、棚板の撓みを抑制することが可能でありながらも、棚板を安定的に保持することができる。
【図面の簡単な説明】
【０００９】
【図１】（ａ）〜（ｃ）は、本発明の一実施形態に係る収納装置の一例を模式的に示し、（ａ）は、図２におけるＸ−Ｘ線矢視に対応させた一部破断概略縦断面図、（ｂ）は、同収納装置が備える棚板の一例を模式的に示す概略分解側面図、（ｃ）は、同棚板の概略側面図である。
【図２】同収納装置の概略斜視図である。
【図３】同棚板の概略斜視図である。
【図４】同棚板の概略分解斜視図である。
【発明を実施するための形態】
【００１０】
以下に本発明の実施の形態について、図面に基づいて説明する。
なお、一部の図では、他図に付している詳細な符号の一部を省略している。
また、図２では、一方の側板（図示右側の側板）を二点鎖線で模式的に示している。
また、以下の実施形態では、収納装置に対面した状態を基準として、手前側を前方、その逆側を後方とし、また、その状態を基準として、上下方向及び左右方向等の方向を原則的に説明する。
【００１１】
図１〜図４は、本実施形態に係る収納装置の一例を模式的に示す図である。
本実施形態に係る収納装置１は、図２に示すように、左右の側板１７，１７と、これら左右の側板１７，１７間に架け渡される棚板１０と、を備えている。また、棚板１０の下面１０ａには、左右の側板１７，１７の対向する方向（当該収納装置１の左右方向）に沿って溝１１が形成されており、収納装置１は、この棚板１０の溝１１に嵌め込まれる補強材１３を備えている。
また、収納装置１は、図２に示すように、天板２と、底板３と、左右の側板１７，１７と、背板４と、を備えた略箱形状とされ、前方に向けて開口した構造とされている。図例では、上下に長尺とされた細長箱形状の収納装置１を示している。
【００１２】
上記構成とされた収納装置１は、天板２、底板３、背板４、左右の側板１７，１７及び棚板１０によって収納空間を区画形成している。この収納装置１の棚板１０や底板３等の上面側に物品等を載置する等して、物品等を収納空間に収納可能な構造とされている。
本実施形態では、収納装置１に、上下に間隔を空けて複数枚（図例では、二枚）の棚板１０，１０を設けている。図例では、これら二枚の棚板１０，１０によって区画された上下の各収納空間の上下寸法が略同一となるように、これら二枚の棚板１０，１０を設けた例を示している。
なお、上記上下の各収納空間の上下寸法を略同一とした態様に代えて、これら各収納空間の上下寸法を異ならせたものとしてもよい。
また、収納装置１の前方開口を開閉する扉を設けるようにしてもよい。
【００１３】
左右の側板１７，１７は、上下方向に長尺な略矩形平板状とされている。
これら左右の側板１７，１７には、図１（ａ）に示すように、互いに対向する内側面１７ａ，１７ａに、互いに対向する方向に向けて開口するダボ穴１８，１８がそれぞれに形成されている。
これらダボ穴１８，１８は、左右の側板１７，１７の内側面１７ａ，１７ａにおいて、棚板１０，１０が架け渡される箇所に応じて形成されている。
本実施形態では、前後方向（当該収納装置１の奥行方向）に間隔を空けて、複数（図例では、２つ）のダボ穴１８，１８を各側板１７，１７の内側面１７ａ，１７ａのそれぞれに設けた例を示している。
また、本実施形態では、これらダボ穴１８，１８を、各側板１７，１７を厚さ方向に貫通させずに、内側面１７ａ，１７ａ側のみにおいて開口するように形成している。
また、図例では、タボ穴１８，１８の形状を、側面視して（対向方向に見て）略円形状とされた丸穴状としている。
【００１４】
補強材１３は、図３及び図４に示すように、棚板１０の溝１１に嵌め込まれる嵌込部１４と、その両側端部のそれぞれに設けられたダボ片１５，１５と、を備えている。
ダボ片１５，１５は、嵌込部１４の両側端部から上方側に向けてそれぞれ立ち上がるように形成されている。
図例では、ダボ片１５，１５を、略矩形の薄平板状とし、互いに略同寸同形状とした例を示している。
これらダボ片１５，１５は、図1（ａ）に示すように、棚板１０の両側と左右の側板１７，１７との間に挟み込まれるように配設される。
【００１５】
また、ダボ片１５，１５は、左右の側板１７，１７の各ダボ穴１８，１８に挿入されるダボ１６，１６をそれぞれに有している。
各ダボ１６，１６は、各ダボ片１５，１５のそれぞれの外側面（各側板１７，１７の内側面１７ａ，１７ａに向く面）に、補強材１３の長手方向の外方側に向けて突出するように設けられている。
図例では、各ダボ１６，１６の形状を、側板１７のダボ穴１８の形状に対応させて、略円柱状とした例を示しているが、このような形状に限られない。各ダボ１６，１６の形状は、側板１７のダボ穴１８に挿入可能な形状とすればよく、例えば、略多角柱状等としてもよい。
【００１６】
嵌込部１４は、棚板１０の溝１１に応じた形状とされており、溝１１の長さ寸法（当該収納装置１の左右方向に沿う寸法）と略同長さとされた細長状とされている。
本実施形態では、この嵌込部１４を、図１（ｂ）に示すように、下向き開口形状でかつ棚板１０の溝１１の内周面１１ａに沿う形状としている。
図例では、嵌込部１４を、縦断面略コ字状（略Ｕ字状または略Ｃ字状）とした例を示している。つまり、嵌込部１４は、天板部とこの天板部の前後方向（当該収納装置１の奥行方向）の両端縁部から垂れ下がるように設けられた両側壁部とを備え、これらを一体的に形成した構造とされている。
また、図例では、嵌込部１４の天板部の長手方向の両端縁から上方側に立ち上がるようにダボ片１５，１５をそれぞれに設けた例を示している。
この嵌込部１４は、天板部及び各側壁部のそれぞれの外側面の略全面を、後記する棚板１０の溝１１の内周面１１ａ（溝１１の底面及び両内側面）に当接させて棚板１０の溝１１に嵌め込まれる構造とされている。
なお、これら補強材１３の嵌込部１４とダボ片１５，１５とは一体的に形成されている。
また、補強材１３は、金属系材料等から一体的に形成したものとしてもよい。
【００１７】
棚板１０は、図３及び図４に示すように、略矩形平板状とされている。図例では、左右の側板１７，１７の対向方向（左右方向）に沿って長尺とされた棚板１０を示している。
この棚板１０の下面１０ａに形成された溝１１は、図１（ｂ）及び図４に示すように、下向きに開口し、かつ棚板１０の両側端面１０ｂ，１０ｂにおいて開口するように、棚板１０の左右方向の全域に亘って形成されている。また、本実施形態では、左右の側板１７，１７に、前後に複数設けられたダボ穴１８，１８に応じて、補強材１３，１３がそれぞれに嵌め込まれる複数本（図例では、二本）の溝１１，１１を、棚板１０の前後方向に間隔を空けて、設けている。
これら前後の溝１１，１１は、左右の側板１７，１７の前後のダボ穴１８，１８の形成箇所に応じた箇所に形成されている。
【００１８】
また、本実施形態では、図１（ｂ）に示すように、溝１１の形状を、側面視（縦断面視）して略矩形状とした例を示している。つまり、この溝１１の内周面１１ａは、下方側に向く底面と、前後両側にそれぞれ向く両内側面とを備えている。
この溝１１の溝深さ寸法（上下寸法）及び溝幅寸法（前後寸法）は、補強材１３の嵌込部１４の厚さ寸法（上下寸法）及び幅寸法（前後寸法）に応じた寸法とされている。本実施形態では、図１（ａ）、（ｃ）及び図３に示すように、溝１１に補強材１３の嵌込部１４が嵌め込まれた状態で、嵌込部１４の下端面（両側壁部の下端面）と棚板１０の下面１０ａとが略面一となるように、これら溝１１及び嵌込部１４を形成している。
【００１９】
また、本実施形態では、図１及び図４に示すように、棚板１０の両側端面１０ｂ，１０ｂに、補強材１３の両側の各ダボ片１５，１５を収容するダボ片収容凹所１２，１２をそれぞれに形成している。
ダボ片収容凹所１２，１２は、棚板１０の溝１１に連通するように形成されており、本実施形態では、前後の溝１１，１１のそれぞれの両側に、ダボ片収容凹所１２，１２を設けている。
各ダボ片収容凹所１２，１２は、それぞれ左右の側板１７，１７の内側面１７ａ，１７ａに向けて開口するように、棚板１０の各側端面１０ｂ，１０ｂに形成されている。また、各ダボ片収容凹所１２，１２は、棚板１０の各側端面１０ｂ，１０ｂにおける棚板１０の厚さ方向の略中央部位から各溝１１に連通するように設けられている。
【００２０】
これらダボ片収容凹所１２，１２に、補強材１３の各ダボ片１５，１５がそれぞれに収容される。
各ダボ片収容凹所１２，１２の深さ寸法（左右寸法）や上下寸法、前後寸法は、補強材１３の各ダボ片１５，１５の厚さ寸法（左右寸法）や上下寸法、前後寸法に応じた寸法とされている。本実施形態では、図１（ａ）及び図３に示すように、各ダボ片収容凹所１２，１２に補強材１３の各ダボ片１５，１５が収容された状態で、各ダボ片１５，１５の外側面と棚板１０の各側端面１０ｂ，１０ｂとが略面一となるように、これら各ダボ片収容凹所１２，１２及び各ダボ片１５，１５を形成している。
【００２１】
また、収納装置１を構成する棚板１０や側板１７等は、木質系材料を板状に加工した基材に、適宜、合成樹脂シートや突板等の表面化粧シートを貼着した構成としてもよい。上記木質系材料としては、合板やＬＶＬ（単板積層材）等の木質積層板、パーティクルボード等の木質ボード、またはインシュレーションボードやＭＤＦ（中密度繊維板）等の木質繊維板等が挙げられる。また、上記基材としては、上記木質系材料に限られず、合成樹脂系材料に、木粉や無機フィラー、相溶化剤、着色剤などを所定の含有割合で含有させた木粉、プラスティック複合材（ＷＰＣ）や、合成樹脂系材料等からなるものとしてもよい。
また、上記した棚板１０の溝１１やダボ片収容凹所１２は、例えば、ルーター等の切削機械等によって形成するようにしてもよい。
【００２２】
次に、収納装置１の組み付け手順の一例について簡単に説明する。
例えば、まず、収納装置１の構成部材である左右の側板１７，１７と天板２と底板３と背板４とを組み付けて箱形状とする。次いで、補強材１３を撓ませて、補強材１３の両側端部のダボ１６，１６を側板１７，１７のダボ穴１８，１８にそれぞれ挿入して、補強材１３を左右の側板１７，１７間に取り付ける。そして、棚板１０の下面１０ａの溝１１に補強材１３の嵌込部１４を嵌め込んで、補強材１３の上方側に棚板１０を取り付けるようにしてもよい。
または、上記のように箱形状に組み付ける際に、補強材１３を左右の側板１７，１７間に取り付けて箱形状とし、次いで、補強材１３の上方側に棚板１０を取り付けるようにしてもよい。
さらには、棚板１０の溝１１に補強材１３を嵌め込んだ状態で、上記のように箱形状に組み付けるようにしてもよい。
【００２３】
上記構成とされた本実施形態に係る収納装置１によれば、棚板１０の撓みを抑制することが可能でありながらも、棚板１０を安定的に保持することができる。
つまり、棚板１０の下面１０ａに左右の側板１７，１７の対向方向に沿って形成された溝１１に補強材１３が嵌め込まれる構造とされている。従って、この補強材１３によって棚板１０を補強することができ、棚板１０の撓みを抑制することができる。
また、この補強材１３の両側端部には、左右の側板１７，１７の各ダボ穴１８，１８に挿入されるダボ１６，１６をそれぞれに有したダボ片１５，１５が設けられている。従って、この補強材１３によって左右の側板１７，１７間に架け渡される棚板１０を保持することができる。これにより、例えば、左右の側板パネルの貫通孔に挿通された金属棒等によって棚板を支持するようなものと比べて、棚板１０を安定的に左右の側板１７，１７間に保持することができる。
また、補強材１３の両側端部のダボ片１５，１５は、棚板１０と左右の側板１７，１７との間に挟み込まれるように配設される。従って、ダボ片１５，１５を棚板１０の下方側に突出するように補強材１３に設けた場合と比べて、ダボ片１５，１５の各ダボ１６，１６を、左右の側板１７，１７の各ダボ穴１８，１８から外れ難くすることができる。この結果、棚板１０を、左右の側板１７，１７間により安定的にかつ強固に保持することができる。
つまりは、補強材１３は、棚板１０の撓みを抑制する棚板１０の補強機能と、左右の側板１７，１７間に架け渡される棚板１０を保持する機能と、を兼ね備えている。
【００２４】
また、補強材１３の両側端部のダボ片１５，１５は、棚板１０と左右の側板１７，１７との間に挟み込まれるように配設されるので、これらを収納空間内において目立ち難くすることができる。
また、本実施形態では、左右の側板１７，１７のダボ穴１８，１８を、各側板１７，１７を厚さ方向に貫通させずに、内側面１７ａ，１７ａ側のみにおいて開口するように形成している。従って、左右の側板１７，１７の外側面側に、補強材１３のダボ１６，１６が露出せず、見栄えを向上させることができる。
また、本実施形態では、棚板１０の溝１１に、補強材１３の嵌込部１４が嵌め込まれた状態で、嵌込部１４の下端面と棚板１０の下面１０ａとが略面一となる構造としている。従って、収納装置１の収納空間内において補強材１３を目立ち難くすることができる。
【００２５】
また、本実施形態では、補強材１３の嵌込部１４を、下向き開口形状でかつ棚板１０の溝１１の内周面１１ａに沿う形状としている。従って、例えば、嵌込部１４を、棚板１０の溝１１の側面視した形状と同一断面形状とした場合と比べて、材料コストを低減させることができ、また、軽量化を図ることができる。また、例えば、補強材１３の嵌込部１４を、薄平板状とした場合と比べて、強度を向上させることができる。
【００２６】
また、本実施形態では、棚板１０の両側端面１０ｂ，１０ｂに、補強材１３のダボ片１５，１５を収容するダボ片収容凹所１２，１２をそれぞれに形成し、これらダボ片収容凹所１２，１２に補強材１３の各ダボ片１５，１５が収容される構造としている。
従って、このようなダボ片収容凹所１２，１２を設けていない場合と比べて、棚板１０の両側端面１０ｂ、１０ｂからのダボ片１５，１５の突出量を小さくすることができる。これにより、棚板１０の両側端面１０ｂ，１０ｂと、左右の側板１７，１７の内側面１７ａ，１７ａとの間の隙間を生じ難くすることができる。
【００２７】
なお、本実施形態では、棚板１０の下面１０ａの溝１１の形状を、側面視（縦断面視）して略矩形状とした例を示しているが、このような態様に限られず、溝１１の形状を、例えば、側面視して略半円形状等としてもよい。この場合は、補強材１３の嵌込部１４の形状を、棚板１０の溝１１の形状に応じた形状としてもよい。例えば、嵌込部１４を、下向きに開口する縦断面略Ｕ字状等としたりしてもよい。
また、本実施形態では、複数本の溝１１を棚板１０の下面１０ａに前後に設けた例を示しているが、このような態様に限られず、一本の溝１１を棚板１０の下面１０ａに設けた態様としてもよい。
【００２８】
また、本実施形態では、補強材１３の嵌込部１４を、下向き開口形状でかつ棚板１０の溝１１の内周面１１ａに沿う形状とした例を示しているが、このような態様に限られない。補強材１３の嵌込部１４を、例えば、下向き開口形状とせずに、棚板１０の溝１１の内周面１１ａに沿う形状とされた筒形状としてもよい。または、補強材１３の嵌込部１４を、棚板１０の溝１１の側面視した形状と略同一断面形状としたり、薄平板状としたりしてもよい。
また、本実施形態では、棚板１０の両側端面１０ｂ，１０ｂに、補強材１３の各ダボ片１５，１５を収容するダボ片収容凹所１２，１２をそれぞれに形成した例を示しているが、このような態様に限られない。これらダボ片収容凹所１２，１２を設けない態様としてもよい。例えば、棚板１０の両側端面１０ｂ，１０ｂにダボ片収容凹所１２，１２を形成する態様に代えて、側板１７，１７の内側面１７ａ，１７ａにダボ片１５，１５を収容するダボ片収容凹所をそれぞれに設けた態様としてもよい。または、このようなダボ片収容凹所を設けない態様としてもよい。
【００２９】
また、各側板１７，１７の内側面１７ａ，１７ａに、上下方向に沿って間隔を空けて複数のダボ穴１８,１８を設け、棚板１０の上下の配設位置を変更可能とした態様としてもよい。
また、本実施形態では、左右の側板１７，１７のダボ穴１８，１８を、各側板１７，１７を厚さ方向に貫通させずに、内側面１７ａ，１７ａ側のみにおいて開口するように形成した例を示しているが、このような態様に限られない。例えば、これらダボ穴１８，１８を、左右の側板１７，１７の厚さ方向に貫通する貫通孔としてもよい。
また、本実施形態では、ダボ１６，１６を補強材１３の両側端部のダボ片１５，１５に固定的に設けた例を示しているが、このような態様に限られない。例えば、各ダボ１６，１６を、各ダボ片１５，１５に、出没自在に設け、かつ側板１７側に向けて付勢されたものとしてもよい。このような態様とすれば、棚板１０を組み付ける際における作業性を向上させることができる。また、例えば、上記のように、左右の側板１７，１７のダボ穴１８，１８を、貫通孔とした場合には、側板１７の外側面側から補強材１３のダボ１６を押し込む（没入させる）等することで、棚板１０（補強材１３）を左右の側板１７，１７間から容易に取り外すこともできる。
【符号の説明】
【００３０】
１                収納装置
１０              棚板
１０ａ            下面
１０ｂ            側端面
１１              溝
１１ａ            内周面
１２              ダボ片収容凹所
１３              補強材
１４              嵌込部（棚板の溝に嵌め込まれる部位）
１５              ダボ片
１６              ダボ
１７              側板
１７ａ            内側面
１８              ダボ穴
【図１】
0005877343.tif 000002
【図２】
0005877343.tif 000003
【図３】
0005877343.tif 000004
【図４】
0005877343.tif 000005